(57)【要約】      （修正有）【課題】多機能な３イン１のドラムを提供する。【解決手段】ドラムシェル１の内壁に二つの内側摺動ユニット９が対称に設置され、その間に調節レバー１０が回転可能に取り付けられ、上方及び下方に調節可能な打撃パッド４をさらに含む。打撃パッドとクッション５との間に、打撃フリップフロップ６が設置され、打撃パッドの底部に、マイクロホン振動器７が設置され、調節レバーを正転させると、打撃パッドが上昇してクッションがドラムヘッド２に密着し消音機能が実現する。電子音源と外部接続すると、打撃フリップフロップが電子信号を送信し、電子ドラムの機能を実現する。スピーカーと外部接続すると、マイクロホン振動器がオーディオ信号を倍に拡張し、音声増幅機能が実現する。調節レバーを逆転させると、打撃パッドが下降してクッションがドラムヘッドから離れ、ドラムヘッドを打撃すると音が発生し、原音のドラム機能が実現する。【選択図】図２
2016090995.tif 000002
【特許請求の範囲】
【請求項１】
ドラムシェル（１）と、ドラムヘッド（２）と、ドラムフープ（３）を含む３イン１のドラムにおいて、
前記ドラムシェル（１）の内部に設置され、上方及び下方に調節可能な打撃パッド（４）をさらに含み、
前記打撃パッド（４）の上はクッション（５）で覆われ、
前記打撃パッド（４）と前記クッション（５）との間に、電子音源と外部接続可能なリング型の打撃フリップフロップ（６）が設置され、
前記打撃パッド（４）の底部に、スピーカーと外部接続可能なマイクロホン振動器（７）がさらに設置され、
前記クッション（５）は、前記打撃パッド（４）を上方へ調節することによってドラムヘッド（２）の底部に密着される、
ことを特徴とする３イン１ドラム。
【請求項２】
前記ドラムシェル（１）の内壁に二つの内側摺動ユニット（９）が対称に設置され、
前記二つの内側摺動ユニット（９）の間に調節レバー（１０）が回転可能に取り付けられ、
前記調節レバー（１０）の左右には、互いに逆向きである雄ねじがそれぞれ形成され、かつ二つの前記雄ねじにそれぞれ摺動ねじ座（１１）が取り付けられ、
該調節レバー（１０）の一端が前記内側摺動ユニット（９）を貫通して外側に延伸し、ねじ込みに適した四面体が形成され、
前記四面体に対応しているドラムシェル（１）の壁に丸孔（１３）が形成され、
前記打撃パッド（４）の底部に二つの底部ロッド（８）が対称に設置され、該二つの底部ロッド（８）は、対応する摺動ねじ座（１１）との間でそれぞれ接続引っ張りプレート（１２）に接続され、
各前記接続引っ張りプレート（１２）の両端は、それぞれ、その対応する底部ロッド（８）及び摺動ねじ座（１１）にヒンジ接続され、
前記調節レバー（１０）を順向きと逆向きにねじ込むことによって前記打撃パッド（４）の高さを調節する、
ことを特徴とする請求項１に記載の３イン１ドラム。
【請求項３】
前記打撃パッド（４）の底部の二つの底部ロッド（８）は、水平方向に設置された二つのパッド固定軸（１４）に固着され、
前記二つのパッド固定軸（１４）の両端はそれぞれ摺動台座（１５）によって固定接続され、
各前記摺動台座（１５）の両端には、さらに、鉛直下方に垂直摺動軸（１６）が設置され、
前記二つの内側摺動ユニット（９）の両側には、それぞれガイド孔が貫通して形成され、
各前記垂直摺動軸（１６）は対応するガイド孔に合わせて挿入可能な軸である
ことを特徴とする請求項２に記載の３イン１ドラム。
【発明の詳細な説明】
【技術分野】
【０００１】
本発明は楽器に関し、特に３イン１（３ｉｎ１）のドラムである。
【背景技術】
【０００２】
従来のドラム型楽器の機能は比較的単一であり、市場における競争力が低く、市場のニーズを満たすことができない。
【発明の概要】
【発明が解決しようとする課題】
【０００３】
多機能な３イン１のドラムを提供する。
【課題を解決するための手段】
【０００４】
本発明はドラムシェルと、ドラムヘッドと、ドラムフープを含み、前記ドラムシェルの内部に設置され、上方及び下方に調節可能な打撃パッドをさらに含み、前記打撃パッドの上はクッションで覆われ、前記打撃パッドと前記クッションとの間に、電子音源と外部接続可能なリング型の打撃フリップフロップが設置され、前記打撃パッドの底部に、スピーカーと外部接続可能なマイクロホン振動器がさらに設置され、前記クッションは、前記打撃パッドを上方へ調節することによってドラムヘッドの底部に密着される。
【０００５】
前記ドラムシェルの内壁に二つの内側摺動ユニットが対称に設置され、前記二つの内側摺動ユニットの間に調節レバーが回転可能に取り付けられ、前記調節レバーの左右には、互いに逆向きである雄ねじがそれぞれ形成され、かつ二つの前記雄ねじにそれぞれ摺動ねじ座が取り付けられ、該調節レバーの一端が内側摺動ユニットを貫通して外側に延伸し、ねじ込みに適した四面体が形成され、前記四面体に対応しているドラムシェルの壁に丸孔が形成され、前記打撃パッドの底部に二つの底部ロッドが対称に設置され、該二つの底部ロッドは、対応する摺動ねじ座との間でそれぞれ接続引っ張りプレートに接続され、各前記接続引っ張りプレートの両端は、それぞれ、その対応する底部ロッド及び摺動ねじ座にヒンジ接続され、調節レバーを順向きと逆向きにねじ込むことによって打撃パッドの高さを調節することができる。
【０００６】
前記打撃パッドの底部の二つの底部ロッドは、水平方向に設置された二つのパッド固定軸に固着され、前記二つのパッド固定軸の両端はそれぞれ摺動台座によって固定接続され、各前記摺動台座の両端には、さらに、鉛直下方に垂直摺動軸が設置され、前記二つの内側摺動ユニットの両側には、それぞれガイド孔が貫通して形成され、各前記垂直摺動軸は対応するガイド孔に合わせて挿入可能な軸である。
【発明の効果】
【０００７】
調節レバーを正転させると、打撃パッドが上昇してクッションがドラムヘッドに密着し、ドラムヘッドを打撃しても音が出ず、消音機能が実現する。電子音源と外部接続すると、打撃フリップフロップが電子信号を送信し、電子ドラムの機能を実現する。スピーカーと外部接続すると、マイクロホン振動器がオーディオ信号を倍に拡張し、音声増幅機能が実現する。調節レバーを逆転させると、打撃パッドが下降してクッションがドラムヘッドから離れ、ドラムヘッドを打撃すると音が発生し、原音のドラム機能が実現する。さらに、本発明は独立した構造とすることもでき、一般的なドラムセットと組み合わせることもできる。
【図面の簡単な説明】
【０００８】
【図１】本発明の３イン１のドラム内の打撃パッドの上昇状態での構造概略図。
【図２】本発明の３イン１のドラム内の打撃パッドの下降状態での構造概略図。
【図３】本発明の３イン１のドラムの仰瞰構造概略図。
【発明を実施するための形態】
【０００９】
発明の実施の形態を実施例にもとづき図面を参照して説明する。図１から図３において、本発明の３イン１のドラムはドラムシェル１と、ドラムヘッド２と、ドラムフープ３を含み、前記ドラムシェル１の内部に設置され、上方及び下方に調節可能な打撃パッド４をさらに含み、前記打撃パッド４の上はクッション５で覆われ、前記打撃パッド４と前記クッション５との間に、電子音源と外部接続可能なリング型の打撃フリップフロップ６が設置され、前記打撃パッド４の底部に、スピーカーと外部接続可能なマイクロホン振動器７がさらに設置され、前記クッション５は、前記打撃パッド４を上方へ調節することによってドラムヘッド２の底部に密着される。
【００１０】
前記ドラムシェル１の内壁に二つの内側摺動ユニット９が対称に設置され、前記二つの内側摺動ユニット９の間に調節レバー１０が回転可能に取り付けられ、前記調節レバー１０の左右には、互いに逆向きである雄ねじがそれぞれ形成され、かつ二つの前記雄ねじにそれぞれ摺動ねじ座１１が取り付けられ、該調節レバー１０の一端が前記内側摺動ユニット９を貫通して外側に延伸し、ねじ込みに適した四面体が形成され、前記四面体に対応しているドラムシェル１の壁に丸孔１３が形成され、前記打撃パッド４の底部に二つの底部ロッド８が対称に設置され、該二つの底部ロッド８は、対応する摺動ねじ座１１との間でそれぞれ接続引っ張りプレート１２に接続され、各前記接続引っ張りプレート１２の両端は、それぞれ、その対応する底部ロッド８及び摺動ねじ座１１にヒンジ接続され、調節レバー１０を順向きと逆向きにねじ込むことによって打撃パッド４の高さを調節することができる。
【００１１】
前記打撃パッド４の底部の二つの底部ロッド８は、水平方向に設置された二つのパッド固定軸１４に固着され、前記二つのパッド固定軸１４の両端はそれぞれ摺動台座１５によって固定接続され、各前記摺動台座１５の両端には、さらに、鉛直下方に垂直摺動軸１６が設置され、前記二つの内側摺動ユニット９の両側には、それぞれガイド孔が貫通して形成され、各前記垂直摺動軸１６は対応するガイド孔に合わせて挿入可能な軸である。
【００１２】
調節レバー１０を正転させると、打撃パッド４が上昇してクッション５がドラムヘッド２に密着し、ドラムヘッド２を打撃しても音が出ず、消音機能が実現する。電子音源に外部接続すると、打撃フリップフロップ６が電子信号を送信し、電子ドラムの機能を実現する。スピーカーに外部接続すると、マイクロホン振動器７がオーディオ信号を倍に拡張し、音声増幅機能が実現する。調節レバー１０を逆転させると、打撃パッド４が下降してクッション５がドラムヘッドから離れ、ドラムヘッドを打撃すると音が発生し、原音のドラム機能が実現する。さらに、本発明は独立構造とすることもでき、一般的なドラムセットと組み合わせることもできる。
【００１３】
以上をまとめると、本発明の内容は上記実施例に限定されず、本分野の技術者は本発明の技術的思想内でその他の実施例を提供することができるが、しかしそれらの実施例はすべて本発明の範囲内を含むものとする。
【符号の説明】
【００１４】
１    ドラムシェル
２    ドラムヘッド
３    ドラムフープ
４    打撃パッド
５    クッション
６    打撃フリップフロップ
７    マイクロホン振動器
８    底部ロッド
９    内側摺動ユニット
１０  調節レバー
１１  摺動ねじ座
１２  接続引っ張りプレート
１３  丸孔
【図１】
2016090995.tif 000003
【図２】
2016090995.tif 000004
【図３】
2016090995.tif 000005